(57)【要約】      （修正有）【課題】突出位置における係止を容易に解除できる機構を有した機器を提供する。【解決手段】機器本体１と、該機器本体内部に収納される収納位置と、該機器本体外部に突出させられた突出位置とに移動する外部接続用コネクタ２ａと、上記外部接続用コネクタを上記突出位置にて係止、係止解除を行う係止部材４と、上記外部接続用コネクタを支持し、上記外部接続用コネクタを移動するための被駆動部２ｂを有するコネクタ支持部材２と、上記機器の操作者により操作され上記外部接続用コネクタを移動し、上記係止部材を移動させる凸部３ｂと、上記被駆動部を駆動する駆動部３ｆとを有し、突出位置から収納位置への移動に際し、移動の初期において上記凸部により係止を解除し、解除の後に上記駆動部により上記コネクタ支持部材を収納位置へと移動させる手動駆動部材と、を具備する。【選択図】図２
2014032859.tif 000002
【特許請求の範囲】
【請求項１】
外部接続用コネクタを有する機器において、
上記外部接続用コネクタが、該機器本体内部に収納される収納位置と、該機器本体外部に突出させられた突出位置とに移動する機器本体と、
上記外部接続用コネクタを上記突出位置にて係止、係止解除を行う係止部材と、
上記外部接続用コネクタを支持し、上記外部接続用コネクタを上記収納位置と上記突出位置とに移動するための被駆動部を有するコネクタ支持部材と、
上記機器の操作者により操作され上記外部接続用コネクタを上記機器本体内部に収納する収納位置と、上記外部接続用コネクタを上記機器本体外部に突出させた突出位置とに移動するため、上記係止部材を変位させる凸部と、上記コネクタ支持部材を上記収納位置と上記突出位置との間で移動させるため上記被駆動部を駆動する駆動部とを有し、上記突出位置から上記収納位置への移動に際し、該移動の初期の第１の移動量において上記凸部により上記係止を解除し、上記第１の移動の該解除の後に続く第２の移動量において上記駆動部により上記コネクタ支持部材を上記収納位置へと移動させる手動駆動部材と、
を具備することを特徴とする外部接続用コネクタを有する機器。
【請求項２】
上記請求項１において、
上記駆動部は凹形状を形成し、上記被駆動部は突形状を形成し、該突形状が該凹形状の中を相対移動する。
【請求項３】
上記請求項１において、
上記駆動部は突形状を形成し、上記被駆動部は凹形状を形成し、該突形状が該凹形状の中を移動する。
【発明の詳細な説明】
【技術分野】
【０００１】
この発明は外部接続用コネクタを有する機器に関する。
【背景技術】
【０００２】
従来、データを電気的に通信するため外部機器に接続するためのコネクタを有する機器がある。例えば、特開２００６−２０１６１号公報には、カメラ本体に対し出入りするコネクタが開示されている。該コネクタは別の機器としてのカメラにそのコネクタを接続される。
【先行技術文献】
【特許文献】
【０００３】
【特許文献１】特願２００６−２０１６１号公報
【発明の概要】
【発明が解決しようとする課題】
【０００４】
ところが、上記特願２００６−２０１６１号公報に示されるコネクタはカメラ本体から繰出されて、該コネクタが外部機器に接続されるとき、挿入力は必ず必要となる。この挿入力に抗してコネクタを繰り出し状態を保持するための固定機構、係止機構等が必要となるが、この機構に関し特に開示はない。また、このコネクタの繰り出し状態から繰り込みを行うときには、その固定機構、係止機構等の解除が必要であり、その操作はなるべく操作し易いものが望まれる。
【０００５】
本発明は、上述した点に鑑み、その目的とするところは、外部機器に接続されるコネクタを有する機器において、該コネクタを繰り出し状態から繰り込み状態に移行させる際に、繰り出し状態における係止を容易に解除できる機構を有した機器を提供する。
【課題を解決するための手段】
【０００６】
上記目的を達成するために、外部接続用コネクタを有する機器において、上記外部接続用コネクタが、該機器本体内部に収納される収納位置と、該機器本体外部に突出させられた突出位置とに移動する機器本体と、上記外部接続用コネクタを上記突出位置にて係止、係止解除を行う係止部材と、上記外部接続用コネクタを支持し、上記外部接続用コネクタを上記収納位置と上記突出位置とに移動するための被駆動部を有するコネクタ支持部材と、
上記機器の操作者により操作され上記外部接続用コネクタを上記機器本体内部に収納する収納位置と、上記外部接続用コネクタを上記機器本体外部に突出させた突出位置とに移動するため、上記係止部材を移動させる凸部と、上記コネクタ支持部材を上記収納位置と上記突出位置との間で変位させるため上記被駆動部を駆動する駆動部とを有し、上記突出位置から上記収納位置への移動に際し、該移動の初期の第１の移動量において上記凸部により上記係止を解除し、上記第１の移動の該解除の後に続く第２の移動量において上記駆動部により上記コネクタ支持部材を上記収納位置へと移動させる手動駆動部材と、を具備する。
【発明の効果】
【０００７】
本発明によれば、コネクタを繰り込むときに、何らの意識的、意図的操作を必要とせずに、一動作のみでコネクタの係止状態を解除し、コネクタを機器内部に繰り込むことができるコネクタを有する機器を提供できる。
【図面の簡単な説明】
【０００８】
【図１】図１の（ａ）は、本発明を用いた外部接続用コネクタを有する機器の外観図斜視図であり、外部接続用コネクタ（コネクタ）を繰出した状態の図すなわち、外部接続用コネクタが突出位置にあるときの図である。図１の（ｂ）は、本発明を用いたコネクタを有する機器の外観図斜視図であり、外部接続用コネクタを繰り込んだ状態、すなわち、外部接続用コネクタが収納位置にあるときの図である、
【図２】図２（ａ）は、コネクタの繰込み状態であり、すなわち外部接続用コネクタが収納位置にあるときの図１（ｂ）における線分ＡＡを含む平面で機器を横に切断し図中の矢印ＸＸ方向に見た横断面図である。図２（ｂ）は図２（ａ）の状態から操作摘み３ａを僅かに動かしたときの横断面図である。図２（ｃ）は、図２（ｄ）の状態から操作摘み３ａを僅かに動かしたときの横断面図である。図２（ｄ）は、コネクタの繰出状態、すなわち、外部接続用コネクタが突出位置にあるときの図であり、図１（ａ）における線分ＢＢを含む平面で機器を横に切断し図中の矢印ＹＹ方向に見た横断面図である。
【発明を実施するための形態】
【０００９】
以下、図示の実施形態によって本発明を説明する。
【００１０】
本発明の実施形態の外部接続用コネクタを有する機器は例えば、デジタルカメラ、ボイスレコーダ等の様々なデータを通信できるものであればよく、本説明では説明を簡略化するためそれら装置、機器のコネクタ２ａに係わる部分のみを説明する。
【００１１】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１２】
本実施形態の構成を図１，図２を用いて説明する。
【００１３】
図１は本実施形態の外部接続用コネクタ（以下、コネクタと称する）を有する機器であり、図１（ａ）は機器本体１からＵＳＢなどの外部機器に接続可能なコネクタ２ａが繰出された状態を示す図であり、図１（ａ）中の線分ＢＢを含む平面で機器１を横に切断した横断面図が図２（ｄ）で示される。
【００１４】
図１（ｂ）は、機器本体１からＵＳＢなどの外部機器に接続可能なコネクタ２ａが繰り込まれた状態を示す図であり、本発明を用いたコネクタ２ａを有する機器の外観図斜視図であり、図１（ｂ）における線分ＡＡを含む平面で機器を横に切断した横断面図が図２（ａ）で示される。
【００１５】
図１，図２で示されるのは機器本体１であり、この機器本体１はケース１ａからなり、その内側には、外部機器とデータの通信を行うための外部接続用コネクタであるコネクタ２ａと、このコネクタ２ａを支持し一体的に移動するコネクタ支持体２と、ロック部材４（係止部材）と、コネクタ支持体２を移動駆動するためコネクタ支持体２と同じ方向に移動する操作部材３とが収納されている。
【００１６】
ケース１ａは、外周一側面にコネクタ２ａが機器本体１から繰り出し、繰り込みが可能なように矩形状のコネクタ用開口１ｂが設けられ、コネクタ２ａが繰出されたときはコネクタ２ａが貫通する。ケース１ａは、上記外周一側面とは異なる外周一側面に操作部材３と一体の操作摘み３ａが外部に露出、そして移動可能なようにコネクタ２ａの移動方向と平行な細長い矩形状の開口である摘み開口１ｃが設けられている。更にケース１ａ内には後述のロック部材４の揺動軸４ａが嵌合する軸１ｄが設けられている。
【００１７】
操作部材３はコネクタ２ａの移動方向に長い略板状の部材からなり操作摘み３ａの他に、コネクタ支持部材を移動方向に駆動するため駆動力伝達部としての駆動部３ｆを有し、該駆動部３ｆは一対の突部である第１の駆動突部と第１の駆動突部から移動方向に離間した位置に第２の駆動突部とを有している。言葉を換えると第１の駆動突部と第２の駆動突部との間に凹部が形成されていると言える。さらに操作部材３にはロック部材４を揺動させるためロック部材４と係合、摺接を行う係合凸部を有し、該突部は第１の傾斜面と凸部頂点面３ｄと第２の傾斜面とから構成されている。尚、操作部材３は図示せぬ公知の案内機構により移動方向に案内される。例えば、それはケース１ａに設けられた、移動方向に並べられた一対のピンと、同様に操作部材３に設けられ移動方向に並べられた一対の長孔からなり、それぞれが互いに嵌合摺接する。
【００１８】
コネクタ支持体２はコネクタ２ａの移動方向に長い矩形状に形成されている。移動方向の両端の一端である長手方向の一端にコネクタ２ａが設けられている。コネクタ支持体２はコネクタ２ａの他に、上記駆動部３ｆの駆動を受ける被駆動凸部（被駆動部）を有する。被駆動部は凸部形状を成し、上記第１の駆動突部と第２の駆動突部との間に大きく遊嵌している。さらにコネクタ支持体２にはコネクタ２ａが繰出状態であるときに、この繰出状態を維持するため、後述するロック部材４の係止部４ｂが係合する凹状の被係合部２ｃが形成されている。尚、操作部材３と同様に図示せぬ公知の案内機構により移動方向に案内される。
【００１９】
また、操作部材３とコネクタ支持体２はコネクタ２ａが繰出し状態、繰込み状態のそれぞれの位置でバネなどを用いた公知のクリック手段により位置が定まるようにしておくとよい。またどちらか一方にだけにクリック手段により位置が定まるようにしておいてもよい。本説明ではこの説明を省略する。
【００２０】
ロック部材４は揺動回転のための揺動孔４ａを有し、この揺動孔４ａが軸１ｄと嵌合してこの軸１ｄ周りに揺動回転（変位）可能となっている。そしてこのロック部材４には揺動孔４ａを挟んで第１の端部と第２の端部を有し、第１の端部には操作部材３の係合凸部と係合、摺接する当接突起を有し、第２の端部にはコネクタ支持体２の被係合部２ｃに係合する係合部を有する。
【００２１】
ロック部材４には図示していない付勢部材（バネ部材）が懸架されていて図２中において常に時計方向に回転力が与えられている。また、この付勢部材を廃止して、これの代わりにポリアセタール材の素材でロック部材を形成し、ロック部材と一体のバネ部位を設けてこれを付勢部位としてロック部材に時計方向に付勢力を与えてもよい。
【００２２】
上記構成よりその動作を説明する。
【００２３】
始めに、コネクタ２ａがケース１ａ内に収納された繰込み位置（収納位置）に在る繰込状態からケース１ａ外に繰出される繰出状態（突出位置）までの過程を、図２を基に説明する。
【００２４】
図２（ａ）はコネクタ２ａが繰込まれた状態、すなわち、外部接続用コネクタが収納位置にあるときである。この状態で、操作摘み３ａは摘み開口１ｃ中の一端に配置され（図中最左端）、第１駆動凸部３ｇと第２駆動凸部３ｈとの間に被駆動凸部が配置され、被駆動凸部は第２駆動凸部３ｈに接した状態にある。またロック部材４の当接部４ｃは操作部材３の係止駆動凸部３ｂ（係止駆動部）の第１傾斜面３ｃ、凸部頂点面３ｄ、第２傾斜面３ｅから外れている。従って、ロック部材４は時計方向に回転付勢されているので、ロック部材４の係止部４ｂがコネクタ支持体２の、移動方向の上記一端である被係合端面２ｄに掛かり、コネクタ２ａが機器本体１外部に移動することを防止している。すなわち、外部接続コネクタが収納位置にある状態に係止されている。
【００２５】
この状態から操作部材３の操作摘み３ａを図２（ａ）の矢印Ｓ１で示す右方向に移動させる。そうすると第２駆動凸部３ｈは被駆動凸部と離間しながら、操作部材３の係止駆動凸部３ｂの第１傾斜面３ｃでロック部材４の当接部４ｃを押圧してロック部材４を反時計方向に回転させる。そしてロック部材４の当接部４ｃは係止駆動凸部３ｂの凸部頂点面３ｄに当接した状態となる。すると、ロック部材４の係止部４ｂはコネクタ支持体２の端部から外れ、コネクタ２ａが機器本体１外部への移動を許容することになる。これを言い換えると、外部接続用コネクタが突出位置へと移動可能な状態となるように係止が解除された状態となるといえる。すなわち図２（ａ）で示すＡＳ１である移動量だけ、操作部材３を移動した状態が図２（ｂ）で示したのがこの状態である。
【００２６】
図２（ｂ）で示した状態から連続して更に、操作摘み３ａを右方向に移動操作すると、操作部材３の第１駆動凸部３ｇがコネクタ支持体２の被駆動凸部と当接し、コネクタ支持体２が右方向に移動され、コネクタ２ａがコネクタ用開口１ｂを貫通し、外部に露出される。この移動の最中にロック部材４の当接部４ｃは係止駆動凸部３ｂの凸部頂点面３ｄから第２傾斜面３ｅに至り、ロック部材４は時計方向に回転揺動（変位）する。ロック部材４の当接部４ｃが第２傾斜面３ｅとの当接から外れるとロック部材４の時計方向への回転揺動は止まると同時に、ロック部材４の係止部４ｂはコネクタ支持体２の被係合部２ｃに係合し、コネクタ支持体２の移動は停止されコネクタ２ａの繰り出し、すなわちコネクタ２ａの突出が完了する。この状態を図２（ｄ）が示す。すなわち、コネクタ２ａの繰込み状態から繰り出し状態への経過を、図２（ａ）から図２（ｂ）、そして図２（ｂ）から図２（ｄ）で示したことになる。
【００２７】
次にコネクタ２ａを繰出状態から繰込状態へ動作させる説明を行う。
【００２８】
コネクタ２ａが繰出された状態である図２（ｄ）から繰込みを行うには、操作摘み３ａを図中の矢印ＲＳ１のように左方向に移動させる。当然に操作部材３は左に移動することになる。この移動前は、操作部材３の第２駆動凸部３ｈとコネクタ支持体２の被駆動凸部とは離間しているので、操作部材３の移動の最初はコネクタ支持体２を移動駆動しない。操作部材３の第２駆動凸部３ｈとコネクタ支持体２の被駆動凸部とが当接するまでの間に、操作部材３の係止駆動凸部３ｂの第２傾斜面３ｅがロック部材４の当接部４ｃを押圧してロック部材４を付勢部材に抗して反時計方向に揺動回転（変位）させ、ロック部材４の当接部４ｃを凸部頂点面３ｄに当接させる。このときロック部材４の係止部４ｂがコネクタ支持体２の被係合部２ｃから抜けてその係合が解除される。すなわち、外部接続用コネクタが突出位置にて係止されていた状態から、外部接続用コネクタが移動可能となる係止解除の状態となる。この結果、コネクタ支持体２は左方向に移動可能となり、操作部材３の第２駆動凸部３ｈとコネクタ支持体２の被駆動凸部とが当接する。この状態が図２（ｃ）に示される。ここまでの操作部材３の移動量は図２（ｄ）に示した第１の移動量であるＡＳ２である。図２（ｃ）から連続して操作部材３がコネクタ繰込み方向に左方向に移動すると図２（ａ）に示す状態となる。図２（ｃ）中に示す二点鎖線は図２（ａ）におけるコネクタ支持体２の位置における位置を示し、図２（ｃ）から図２（ａ）へのコネクタ支持体２の移動量は、図２（ｃ）で示すＡＳ３となる。
【００２９】
すなわち繰出し状態から繰込み状態に到る経過は図２（ｄ）から図２（ｃ）、そして図２（ｃ）から図２（ａ）で示したことになる。
【００３０】
以上のように本発明のコネクタ２ａを有する機器は、コネクタ２ａを繰出した位置で固定、係止するための操作部材３を一方向にのみ移動駆動させるだけで余計な操作を必要とせずに、コネクタ２ａを繰出した状態に固定、係止できる。従って、外部からコネクタ２ａに不要な外力が作用しても、このコネクタ２ａの機器本体１内にコネクタ２ａが意図せず繰込まれることもないし、他の機器にコネクタ２ａを接続する際にも、またコネクタ２ａが意図せず繰込まれることもなく確実な接続を行うことができる。
【００３１】
なお、この他に、本発明が含まれた機器、装置は、コネクタ２ａを繰込んだ状態においてもロック部材４がコネクタ支持体２の一端を係止しているので、該機器、装置を落下しても、該機器、装置に衝撃が加わっても不用意にコネクタ自身が飛び出してくることもないようになっている。
【００３２】
なお、操作部材３の駆動部３ｆの形状である一対の凸部３ｇ、３ｈをコネクタ支持体に設け、コネクタ支持体の凸部２ｂを操作部材３に設けた形状にしてもよい。
【００３３】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００３４】
本発明は、機器等の間でデータを転送するなどのコネクタ２ａを有する機器、装置であればどのようなものにでも広く適用できる。例えば、デジタルカメラ、ＩＣレコーダ、パーソナルコンピュータ、その周辺機器等などに用いることができる。
【符号の説明】
【００３５】
１・・・機器本体（コネクタ装置）
１ａ・・・ケース
１ｂ・・・コネクタ用開口
１ｃ・・・摘み開口
１ｄ・・・軸
２・・・コネクタ支持体
２ａ・・・コネクタ（外部接続用コネクタ）
２ｂ・・・被駆動凸部（被駆動部）
２ｃ・・・被係合部（凹部）
２ｄ・・・被係合端面
３・・・操作部材
３ａ・・・操作摘み
３ｂ・・・係止駆動凸部
３ｃ・・・第１傾斜面
３ｄ・・・凸部頂点面
３ｅ・・・第２傾斜面
３ｆ・・・駆動部（駆動力伝達部）
３ｇ・・・第１駆動凸部
３ｈ・・・第２駆動凸部
４・・・係止部材（ロック部材）
４ａ・・・揺動孔
４ｂ・・・係止部
４ｃ・・・当接部
【図１】
2014032859.tif 000003
【図２】
2014032859.tif 000004